(57)【要約】【課題】携帯型テレビジョン受像機が移動した場合でも、予約された番組を確実に録画できるようにする。【解決手段】予約データベース６２には、録画予約された番組の放送チャンネル、放送開始時刻、および予約地が登録される他、番組情報サーバ１１１から取得された番組ＩＤも記録される。拡張モジュール１１により、携帯型テレビジョン受像機１の現在位置が検出される。番組情報サーバ１１１から供給される番組情報を利用することによって、現在位置における放送チャンネル情報と放送時刻情報が予約時と異なるか否かが判定され、異なる場合、予約情報が更新される。予約された番組が現在位置で放送されない場合、ＶＴＲ１１２により録画が行われる。本発明は、携帯型テレビジョン受像機に適用することができる。【選択図】　　　図４
2004023111.tif 000002
【特許請求の範囲】
【請求項１】
現在位置を検出する検出手段と、
放送番組の予約記録に必要な予約情報を取得する取得手段と、
予約された前記放送番組が、前記検出手段により検出された前記現在位置において放送されるか否かを判定する第１の判定手段と、
前記第１の判定手段により、予約された前記放送番組が、前記検出手段により検出された前記現在位置において放送されないと判定された場合、他の記録装置に、予約された前記放送番組の記録を要求する要求手段と、
前記第１の判定手段により、予約された前記放送番組が、前記検出手段により検出された前記現在位置において放送されると判定された場合、予約された前記放送番組を記録する記録手段と
を備えることを特徴とする記録装置。
【請求項２】
前記第１の判定手段により、予約された前記放送番組が、前記検出手段により検出された前記現在位置において放送されると判定された場合、前記検出手段により検出された前記現在位置における、予約された前記放送番組の放送開始時刻と放送チャンネルが、予約時と異なっているか否かを判定する第２の判定手段と、
前記第２の判定手段により、前記検出手段により検出された前記現在位置における、予約された前記放送番組の放送開始時刻と放送チャンネルが、予約時と異なっていると判定された場合、前記予約情報に含まれる、予約された前記放送番組の放送開始時刻と放送チャンネルを更新する更新手段と
をさらに備え、
前記記録手段は、前記更新手段により更新された前記放送開始時刻と放送チャンネルに基づいて、予約された前記放送番組を記録する
ことを特徴とする請求項１に記載の記録装置。
【請求項３】
情報提供装置にアクセスするアクセス手段をさらに備え、
前記第１の判定手段は、前記アクセス手段によりアクセスされた前記情報提供装置から取得した情報に基づいて、予約された前記放送番組が放送されるか否かを判定する
ことを特徴とする請求項１に記載の記録装置。
【請求項４】
記録装置の記録方法において、
現在位置を検出する検出ステップと、
放送番組の予約記録に必要な予約情報を取得する取得ステップと、
予約された前記放送番組が、前記検出ステップの処理により検出された前記現在位置において放送されるか否かを判定する判定ステップと、
前記判定ステップの処理により、予約された前記放送番組が、前記検出ステップの処理により検出された前記現在位置において放送されないと判定された場合、他の記録装置に、予約された前記放送番組の記録を要求する要求ステップと、前記判定ステップの処理により、予約された前記放送番組が、前記検出ステップの処理により検出された前記現在位置において放送されると判定された場合、予約された前記放送番組を記録する記録ステップと
を含むことを特徴とする記録方法。
【請求項５】
記録装置のプログラムにおいて、
現在位置を検出する検出ステップと、
放送番組の予約記録に必要な予約情報を取得する取得ステップと、
予約された前記放送番組が、前記検出ステップの処理により検出された前記現在位置において放送されるか否かを判定する判定ステップと、
前記判定ステップの処理により、予約された前記放送番組が、前記検出ステップの処理により検出された前記現在位置において放送されないと判定された場合、他の記録装置に、予約された前記放送番組の記録を要求する要求ステップと、前記判定ステップの処理により、予約された前記放送番組が、前記検出ステップの処理により検出された前記現在位置において放送されると判定された場合、予約された前記放送番組を記録する記録ステップと
を含むことを特徴とするコンピュータが読み取り可能なプログラムが記録されている記録媒体。
【請求項６】
記録装置を制御するコンピュータに、
現在位置を検出する検出ステップと、
放送番組の予約記録に必要な予約情報を取得する取得ステップと、
予約された前記放送番組が、前記検出ステップの処理により検出された前記現在位置において放送されるか否かを判定する判定ステップと、
前記判定ステップの処理により、予約された前記放送番組が、前記検出ステップの処理により検出された前記現在位置において放送されないと判定された場合、他の記録装置に、予約された前記放送番組の記録を要求する要求ステップと、前記判定ステップの処理により、予約された前記放送番組が、前記検出ステップの処理により検出された前記現在位置において放送されると判定された場合、予約された前記放送番組を記録する記録ステップと
を含む処理を実行させることを特徴とするプログラム。
【発明の詳細な説明】
【０００１】
【発明の属する技術分野】
本発明は記録装置および方法、記録媒体、並びにプログラムに関し、特に、予約された放送番組を確実に録画させることができるようにした記録装置および方法、記録媒体、並びにプログラムに関する。
【０００２】
【従来の技術】
テレビジョン受像機において、予約録画を行う場合、予約された番組を特定するために、主にチャンネル番号と放送時刻を利用している。テレビジョン受像機は、予約された放送時刻になると、予約された番組の放送チャンネルの信号を受信し、記録する。
【０００３】
【発明が解決しようとする課題】
ところで、据置型テレビジョン受像機においては、録画予約時にチャンネル番号と放送時刻を設定しておけば、番組の放送時刻が変更されない限り、予約した放送時刻に予約された番組が放送されるので、その番組を確実に録画することができる。しかしながら、移動可能な携帯型テレビジョン受像機においては、移動後の地域によっては、番組が送信される放送塔が異なることにより、予約された番組が放送されるチャンネル番号が異なる場合があり、さらに、携帯型テレビジョン受像機が都道府県を越えて移動すると、番組を編成する放送局が異なるため、録画が予約された番組と実際に録画される番組とが異なってしまい、ユーザは所望の番組を予約録画することができないという課題があった。
【０００４】
本発明はこのような状況に鑑みてなされたものであり、携帯型テレビジョン受像機が移動した場合でも、予約された番組を確実に録画することができるようにするものである。
【０００５】
【課題を解決するための手段】
本発明の記録装置は、現在位置を検出する検出手段と、放送番組の予約記録に必要な予約情報を取得する取得手段と、予約された放送番組が、検出手段により検出された現在位置において放送されるか否かを判定する第１の判定手段と、第１の判定手段により、予約された放送番組が、検出手段により検出された現在位置において放送されないと判定された場合、他の記録装置に、予約された放送番組の記録を要求する要求手段と、第１の判定手段により、予約された放送番組が、検出手段により検出された現在位置において放送されると判定された場合、予約された放送番組を記録する記録手段とを備えることを特徴とする。
【０００６】
第１の判定手段により、予約された放送番組が、検出手段により検出された現在位置において放送されると判定された場合、検出手段により検出された現在位置における、予約された放送番組の放送開始時刻と放送チャンネルが、予約時と異なっているか否かを判定する第２の判定手段と、第２の判定手段により、検出手段により検出された現在位置における、予約された放送番組の放送開始時刻と放送チャンネルが、予約時と異なっていると判定された場合、予約情報に含まれる、予約された放送番組の放送開始時刻と放送チャンネルを更新する更新手段とをさらに備え、記録手段は、更新手段により更新された放送開始時刻と放送チャンネルに基づいて、予約された放送番組を記録することができる。
【０００７】
情報提供装置にアクセスするアクセス手段をさらに備え、第１の判定手段は、アクセス手段によりアクセスされた情報提供装置から取得した情報に基づいて、予約された放送番組が放送されるか否かを判定することができる。
【０００８】
本発明の記録方法は、現在位置を検出する検出ステップと、放送番組の予約記録に必要な予約情報を取得する取得ステップと、予約された放送番組が、検出ステップの処理により検出された現在位置において放送されるか否かを判定する判定ステップと、判定ステップの処理により、予約された放送番組が、検出ステップの処理により検出された現在位置において放送されないと判定された場合、他の記録装置に、予約された放送番組の記録を要求する要求ステップと、判定ステップの処理により、予約された放送番組が、検出ステップの処理により検出された現在位置において放送されると判定された場合、予約された放送番組を記録する記録ステップとを含むことを特徴とする。
【０００９】
本発明の記録媒体に記録されているプログラムは、現在位置を検出する検出ステップと、放送番組の予約記録に必要な予約情報を取得する取得ステップと、予約された放送番組が、検出ステップの処理により検出された現在位置において放送されるか否かを判定する判定ステップと、判定ステップの処理により、予約された放送番組が、検出ステップの処理により検出された現在位置において放送されないと判定された場合、他の記録装置に、予約された放送番組の記録を要求する要求ステップと、判定ステップの処理により、予約された放送番組が、検出ステップの処理により検出された現在位置において放送されると判定された場合、予約された放送番組を記録する記録ステップとを含むことを特徴とする。
【００１０】
本発明のプログラムは、現在位置を検出する検出ステップと、放送番組の予約記録に必要な予約情報を取得する取得ステップと、予約された放送番組が、検出ステップの処理により検出された現在位置において放送されるか否かを判定する判定ステップと、判定ステップの処理により、予約された放送番組が、検出ステップの処理により検出された現在位置において放送されないと判定された場合、他の記録装置に、予約された放送番組の記録を要求する要求ステップと、判定ステップの処理により、予約された放送番組が、検出ステップの処理により検出された現在位置において放送されると判定された場合、予約された放送番組を記録する記録ステップとを含むことを特徴とする。
【００１１】
本発明の記録装置および方法、記録媒体、並びにプログラムにおいては、現在位置が検出され、放送番組の予約記録に必要な予約情報が取得され、現在位置において、予約された放送番組が放送されるか否かが判定され、現在位置において、予約された放送番組が放送されないと判定された場合、他の記録装置に、予約された放送番組の記録が要求され、現在位置において、予約された放送番組が放送されると判定された場合、予約された放送番組が記録される処理が実行される。
【００１２】
【発明の実施の形態】
以下、図を参照して、本発明の実施の形態について説明する。
【００１３】
図１は、本発明を適用した携帯型テレビジョン受像機の構成例を示している。同図に示されるように、携帯型テレビジョン受像機１のメモリカードスロット（図示せず）に、メモリカードに代えて、ＧＰＳ（Ｇｌｏｂａｌ　Ｐｏｓｉｔｉｏｎｉｎｇ　Ｓｙｓｔｅｍ）機能を備えた拡張モジュール１１が装着されている。
【００１４】
携帯型テレビジョン受像機１は、片手で把持および操作が可能な大きさに、その筐体が形成されている。携帯型テレビジョン受像機１の上端部には、メモリカードスロット、および赤外線通信を用いて他の装置と情報を授受するための赤外線通信部５８（図４）が設けられている。この他、さらにＢｌｕｅｔｏｏｔｈ（商標）による近距離無線通信を行うための無線ＬＡＮ（図示せず）などを設けるようにしてもよい。
【００１５】
携帯型テレビジョン受像機１の下端面には、各種データを授受するＵＳＢ（Ｕｎｉｖｅｒｓａｌ　Ｓｅｒｉａｌ　Ｂｕｓ）ポート、もしくはＲＳ−２３２Ｃポート（いずれも図示せず）等が設けられている。また、携帯型テレビジョン受像機１には、その正面に、表示部２、およびキー３が、そして左側側面には、ジョグダイヤル４が、それぞれ設けられている。
【００１６】
表示部２は、液晶表示装置などの薄型の表示装置で構成され、アイコン、サムネイル、またはテキストなどの画像を表示する。表示部２の下側には、タッチパッド２ａが設けられている。ユーザは、表示部２およびタッチパッド２ａを指またはペンなどで押圧することにより、携帯型テレビジョン受像機１のＣＰＵ５１（図４）に所定のデータまたは動作指示を入力する。
【００１７】
キー３は、ＣＰＵ５１に所定のデータまたは動作指示を入力するとき、ユーザにより操作される。
【００１８】
ジョグダイヤル４は、例えば、表示部２に表示されたアイコン、サムネイルまたはテキストなどがユーザによって選択されるとき、回転操作または本体側（図１において右方向）への押圧操作を受ける。例えば、表示部２に複数のアイコンが表示されている状態で、ジョグダイヤル４が回転操作を受けた場合、複数のアイコンの中から、所望のアイコンが選択され、ジョグダイヤル４が本体側に押圧されたとき、選択されているアイコンが確定される。そして、確定されたアイコンがアプリケーションプログラムに対応している場合、そのアプリケーションプログラムが起動される。
【００１９】
また、ジョグダイヤル４を本体側に押圧操作したまま回転させる操作を、通常の回転操作と異なる命令に対応させるようにしてもよく、ジョグダイヤル４への操作と、その操作に対応する命令の内容は、この限りではない。
【００２０】
図２は、拡張モジュール１１の全体の構成を表している。装着部２１は、メモリカード（メモリスティック（商標））に、ほぼ対応する形状を有している。この装着部２１が、メモリカードに代えて、携帯型テレビジョン受像機１に装着される。
【００２１】
図３は、装着部２１の表面２１Ａ（図３Ａ）と裏面２１Ｂ（図３Ｂ）の構成を表している。装着部２１は、その外形が鉄、銅といった重金属や、アルミニウム、マグネシウムといった軽金属等の導電体により構成されている。図３Ｂに示されるように、装着部２１には、１０ピンの端子３１が形成されており、この端子３１が携帯型テレビジョン受像機１に装着されたとき、その内部の電気回路と電気的に接続される。これにより、拡張モジュール１１の内部の電子部品が、携帯型テレビジョン受像機１の本体の電子部品と電気的に接続される。
【００２２】
装着部２１の内部には、電気的に書き換えや消去が可能な不揮発性メモリであるＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）の一種であるフラッシュメモリ素子が格納されており、端子３１を介して画像や音声、音楽等の各種データの書き込みおよび読み出しが可能になされている。また、装着部２１には、誤消去防止スイッチ３２が設けられ、そこに記録されているデータの誤消去を防止するようになされている。
【００２３】
端子３１は、導電体により構成されるが、端子３１は、装着部２１の外形を構成する導電体とは絶縁される。
【００２４】
但し、端子３１のうち、アース電極は、装着部２１の導電体と電気的に接続される。これにより、接地電位を安定して確保することが可能となり、外来ノイズや電磁波による誤動作を抑制することが可能となる。さらに、信号対雑音比を向上させ、放射電磁波を低減し、ノイズを低減することが可能となる。
【００２５】
拡張モジュール１１は、図２に示されるように、装着部２１に対して、一体的に結合されている本体２２と、本体２２に対して軸２４を介して回動自在に結合される回動部２３とにより構成される。回動部２３には、ＧＰＳアンテナ１４１（図９）が内蔵されている。本体２２には、回動部２３に内蔵されているＧＰＳアンテナ１４１を介して、衛星からの電波を受信した信号を処理するＧＰＳ信号処理部１３３（図９）が内蔵されている。本体２２は、その全体の外形が導電性部材により形成されている。
【００２６】
回動部２３の上方の面（拡張モジュール１１を携帯型テレビジョン受像機１に装着したとき、上方（空）を指向する面）２３Ａの外形は、プラスチックにより構成されるが、下方の面（装着されたとき、地面を指向する面）２３Ｂの外形は、導電性部材により構成される。面２３Ａを、非導電性のプラスチックにより構成することで、衛星からの電波を容易に受信可能にしている。これに対して、下方の面２３Ｂを導電性部材により構成することで、地面からの反射波がアンテナにより受信されるのを（マルチパスを）抑制することができる。
【００２７】
図４は、携帯型テレビジョン受像機１の電気的構成例を示すブロック図である。
【００２８】
ＣＰＵ５１は、Ｆｌａｓｈ　ＲＯＭ（Ｒｅａｄ−ｏｎｌｙ　Ｍｅｍｏｒｙ）５２またはＥＤＯ　ＤＲＡＭ（Ｅｘｔｅｎｄｅｄ　Ｄａｔａ　Ｏｕｔ　Ｄｙｎａｍｉｃ　Ｒａｎｄｏｍ−Ａｃｃｅｓｓ　Ｍｅｍｏｒｙ）５３に格納されているオペレーティングシステム、またはアプリケーションプログラムなどの各種のプログラムを実行する。
【００２９】
Ｆｌａｓｈ　ＲＯＭ５２は、ＥＥＰＲＯＭの一種であるフラッシュメモリで構成され、一般的には、ＣＰＵ５１が使用するプログラムや演算用のパラメータのうちの基本的に固定のデータを格納する。ＥＤＯ　ＤＲＡＭ５３は、ＣＰＵ５１が実行するプログラムや、その実行において適宜変化するパラメータを格納する。
【００３０】
モジュールインターフェース（Ｉ／Ｆ）５４は、携帯型テレビジョン受像機１に装着されている拡張モジュール１１から供給されるデータ（例えば、ＧＰＳ検出信号もしくは地図データなど）を取得するとともに、ＣＰＵ５１から供給される各種データを拡張モジュール１１に供給する。
【００３１】
ＵＳＢインターフェース（Ｉ／Ｆ）５５は、必要に応じて接続されるＵＳＢ機器であるドライブ８１からデータまたはプログラムを入力するとともに、ＣＰＵ５１から供給されたデータをドライブ８１に供給する。
【００３２】
ドライブ８１は、必要に応じて装着される磁気ディスク９１、光ディスク９２、または光磁気ディスク９３に記録されているデータまたはプログラムを読み出して、そのデータまたはプログラムを、ＵＳＢインターフェース５５を介して、ＣＰＵ５１またはＥＤＯ　ＤＲＡＭ５３に供給する。また、ドライブ８１は、装着されている磁気ディスク９１、光ディスク９２、または光磁気ディスク９３に、データまたはプログラムを記録させる。
【００３３】
Ｆｌａｓｈ　ＲＯＭ５２，ＥＤＯ　ＤＲＡＭ５３、モジュールインターフェース５４、およびＵＳＢインターフェース５５は、バスを介して、ＣＰＵ５１に接続されている。
【００３４】
表示部２は、バスを介して、ＣＰＵ５１からデータを受信し、受信したデータに対応する画像または文字などを表示する。タッチパッド制御部５６は、表示部２もしくはタッチパッド２ａが操作されたとき、操作に対応したデータ（例えば、タッチされた座標）を表示部２もしくはタッチパッド２ａから受信し、受信したデータに対応する信号を、バスを介してＣＰＵ５１に供給する。
【００３５】
ＥＬ（Ｅｌｅｃｔｒｏ　ｌｕｍｉｎｅｓｃｅｎｃｅ）ドライバ５７は、表示部２の液晶表示部の裏側に設けられている電界発光素子を動作させ、表示部２の表示の明るさを制御する。
【００３６】
赤外線通信部５８は、ＵＡＲＴ（Ｕｎｉｖｅｒｓａｌ　ａｓｙｎｃｈｒｏｎｏｕｓ　ｒｅｃｅｉｖｅｒ−ｔｒａｎｓｍｉｔｔｅｒ）を介して、ＣＰＵ５１から受信したデータを赤外線信号として、図示せぬ他の機器に送信するとともに、他の機器から送信された赤外線信号を受信して、ＣＰＵ５１に供給する。
【００３７】
音声再生部６０は、スピーカ、および音声のデータの復号回路などから構成され、予め記憶している音声のデータ、または他の機器から受信した音声のデータなどを復号して、再生し、音声を出力する。例えば、音声再生部６０は、バッファ５９を介して、ＣＰＵ５１から供給された音声のデータを再生して、データに対応する音声を出力する。
【００３８】
キー３、ジョグダイヤル４、およびタッチパッド制御部５６は、録画しようとする番組のチャンネル番号と放送開始時刻により、番組の予約録画を受け付ける。具体的には、表示部２もしくはタッチパッド２ａが、チャンネル番号と放送開始時刻が入力されるよう操作されたとき、操作に対応したデータ（この場合、番組の予約録画のデータ）が、タッチパッド制御部５６を介し、ＣＰＵ５１に供給される。
【００３９】
通信部６６は、例えば、ＲＳ−２３２Ｃなどのインターフェースで、通信モジュールなどと接続される。通信部６６は、通信モジュールから公衆回線１０１を介してインターネット１０２と接続し、インターネット１０２上に存在する番組情報サーバ１１１より番組ＩＤを取得し、ＣＰＵ５１に送信する。
【００４０】
番組ＩＤは、図５に示されるように、番組毎に固有な値を有する。例えば、図５の例においては、地域「Ａ」で放送される番組の番組ＩＤには、「０００１」、「１０１０」、「０１１３」があり、地域「Ｂ」で放送される番組の番組ＩＤには、「０００５」、「１２０３」、「１９２５」があり、地域「Ｃ」で放送される番組の番組ＩＤには、「００１５」、「２１５５」、「５００１」がある。なお、この例では、番組ＩＤは、番組が系列局へネット配信される場合でも変わらないものとされる。また、この図５は、後述する図８に示される番組情報サーバ１１１が保持する情報のうちの、番組ＩＤと地域を示すものである。
【００４１】
ＣＰＵ５１は、モジュールインターフェース（Ｉ／Ｆ）５４を介して、携帯型テレビジョン受像機１に装着されている拡張モジュール１１からＧＰＳ検出信号を取得するが、ＣＰＵ５１のＧＰＳ検出信号の取得処理は、タイマ６５により計時される日時（現在の時刻）に基づいて定期的に行われる。
【００４２】
チューナ６４は、ユーザにより指定された放送チャンネルの放送電波を受信する。
【００４３】
ユーザが、表示部２もしくはタッチパッド２ａを操作して予約録画しようとする番組のチャンネル番号、放送開始時刻、および録画時間を入力すると、それらに対応するデータが、タッチパッド制御部５６を介して入力され、予約データベース６２に供給され、記録される。
【００４４】
予約データベース６２には、図６に示されるように、予約録画しようとする番組のチャンネル番号、録画時間、および放送開始時刻の他、番組ＩＤ、および現在地情報が記憶される。
【００４５】
番組ＩＤは、インターネット１０２上に存在する番組情報サーバ１１１より取得され、通信部６６を介し、予約データベース６２に記録される。
【００４６】
現在地情報は、携帯型テレビジョン受像機１に装着されている拡張モジュール１１から取得され、モジュールインターフェース（Ｉ／Ｆ）５４を介し、予約データベース６２に供給され、記憶される。
【００４７】
図６の予約データベース６２の例では、第１の予約録画番組の情報として、チャンネル番号「６」、録画時間「９分」、放送開始時刻「２００２年５月１０日０８時５０分００秒」、番組ＩＤ「０００１」、現在地「ａ１」が、そして、第２の予約録画番組の情報として、チャンネル番号「８」、録画時間「２８分」、放送開始時刻「２００２年５月１０日１０時００分００秒」、番組ＩＤ「０１１３」、現在地「ａ１」であることが記憶されている。なお、ここでの現在地「ａ１」とは、後述する図８の地域「Ａ」に含まれる位置を表す。
【００４８】
放送塔データベース６１には、番組の電波が送出される放送塔（図示せず）のデータが格納されている。放送塔のデータの例が図７に示されている。この例では、放送塔「Ｔ１」の放送範囲（電波が届く範囲）は「Ｒ１」とされ、放送塔「Ｔ２」の放送範囲は「Ｒ２」とされ、放送塔「Ｔ３」の放送範囲は「Ｒ３」とされている。
【００４９】
ＣＰＵ５１は、ＧＰＳ検出信号による位置データおよび放送塔データによって、現在地において、どの放送塔から、録画しようとする番組の電波が受信可能か判断する。
【００５０】
予約録画しようとする番組が放送される時刻になった場合、ＣＰＵ５１は、チューナ６４と記録再生部６３に、予約番組の受信と録画を指令する。記録再生部６３の構成については、図１０を参照して後に詳述する。また、現在地において予約録画しようとする番組が放送されない場合、ＣＰＵ５１は、通信部６６から公衆回線１０１および音声回線１０３を介して、ユーザが指定する装置であるＶＴＲ（Ｖｉｄｅｏ　Ｔａｐｅ　Ｒｅｃｏｒｄｅｒ）１１２に代替録画を指令する。
【００５１】
番組情報サーバ１１１は、図８に示されるように、番組が放送される地域、番組ＩＤ、チャンネル番号、放送開始時刻、放送時間の情報の登録リストを保持している。
【００５２】
図８の例では、地域「Ａ」で放送される番組の番組ＩＤは、「０００１」、「１０１０」、「０１１３」であり、それぞれの番組のチャンネル番号、放送開始時刻、放送時間は、［「６」、「２００２年５月１０日０８時５０分００秒」、「１０分」］、［「４」、「２００２年５月１０日０９時００分００秒」、「６０分」］、および、［「８」、「２００２年５月１０日１０時００分００秒」、「３０分」］とされている。
【００５３】
地域「Ｂ」で放送される番組の番組ＩＤは、「０００５」、「１２０３」、「１９２５」、「０００１」であり、それぞれの番組のチャンネル番号、放送開始時刻、放送時間は、［「１」、「２００２年５月１０日０９時００分００秒」、「１０分」］、［「３」、「２００２年５月１０日１６時３０分００秒」、「６０分」］、［「５」、「２００２年５月１０日１２時３０分００秒」、「３０分」］、および、［「７」、「２００２年５月１０日１３時５０分００秒」、「１０分」］とされている。
【００５４】
地域「Ｃ」で放送される番組の番組ＩＤは、「００１５」、「２１５５」、「５００１」であり、それぞれの番組のチャンネル番号、放送開始時刻、放送時間は、［「２」、「２００２年５月１０日１５時００分００秒」、「１０分」］、［「６」、「２００２年５月１０日１８時００分００秒」、「６０分」］、および、［「３」、「２００２年５月１０日１３時００分００秒」、「３０分」］とされている。
【００５５】
次に、図９を参照して、拡張モジュール１１の内部の構成を説明する。
【００５６】
拡張モジュール１１の回動部２３の内部に設けられているＧＰＳアンテナ１４１は、図示せぬＧＰＳ衛星から送信されてくるＧＰＳ信号を受信する。
【００５７】
本体２２の内部に設けられるＧＰＳ信号処理部１３３は、ＧＰＳアンテナ１４１で受信されたＧＰＳ信号から、携帯型テレビジョン受像機１が使用されている現在地の緯度、経度、高度、時刻、スピード、およびヘディング方向などのＧＰＳ受信データを算出し、記憶部１２２に記憶させる。ＧＰＳ信号処理部１３３は、また、算出されたＧＰＳ受信データのうちの時刻データに基づいて、クロック１３２の内部時計を正確な時刻に調整する。ＧＰＳ信号処理部１３３は、さらに、算出されたＧＰＳ受信データ（位置データおよび時刻データ）を過去の軌跡データとして記憶部１２２に記録させる。
【００５８】
この過去の軌跡データは、遮蔽物などによってＧＰＳアンテナ１４１がＧＰＳ信号を受信することができないときに、利用されるデータである。
【００５９】
クロック１３２は、携帯型テレビジョン受像機１からインターフェース（Ｉ／Ｆ）１２１を介して供給される電源電圧により動作し、ＧＰＳ信号処理部１３３により調整された時刻に基づいて計時動作を行う。クロック１３２は、また、拡張モジュール１１が携帯型テレビジョン受像機１に装着されていない場合（すなわち、電源が供給されない場合）、内部電池１３１より供給される電源電圧により動作する。
【００６０】
装着部２１の内部に設けられる記憶部１２２には、ＧＰＳ受信機能駆動用ドライバソフト、およびインターフェースプロトコルデータなどの、携帯型テレビジョン受像機１と拡張モジュール１１が相互通信するための通信データが記憶されている。記憶部１２２は、また、ＧＰＳ信号処理部１３３より供給されるＧＰＳ受信データおよび過去の軌跡データを記憶する。
【００６１】
さらに記憶部１２２には、携帯型テレビジョン受像機１が携帯型ナビゲーションシステムを実現するための地図データが所定のブロック（小さな領域）毎に分割されて記憶される。地図データとは、携帯型テレビジョン受像機１が使用される地域（例えば、日本全国、または、その一部の地域）のデータである。
【００６２】
ここで、拡張モジュール１１に地図データを記録させる処理について説明する。例えば、以下に示す、いずれかの方法により、地図データが拡張モジュール１１の記憶部１２２に記録される。
【００６３】
（１）パーソナルコンピュータ（図示せず）のメモリカードスロットに拡張モジュール１１を装着するとともに、パーソナルコンピュータのドライブに地図データが記録されているＣＤ−ＲＯＭ（Ｃｏｍｐａｃｔ　Ｄｉｓｃ−Ｒｅａｄ　Ｏｎｌｙ　Ｍｅｍｏｒｙ）を装着し、ＣＤ−ＲＯＭから拡張モジュール１１に地図データをコピー（記録）する。
【００６４】
（２）パーソナルコンピュータもしくは携帯電話機のメモリカードスロットに拡張モジュール１１を装着し、インターネット１０２を介して所定のサイトより地図データをダウンロードし、拡張モジュール１１に記録する。
【００６５】
（３）携帯型テレビジョン受像機１のメモリカードスロットに拡張モジュール１１を装着し、携帯型テレビジョン受像機１と携帯電話機を接続し、携帯電話機を介してインターネット１０２に接続し、所定のサイトより地図データをダンロードし、拡張モジュール１１に記録する。
【００６６】
（４）携帯型テレビジョン受像機１のメモリカードスロットに拡張モジュール１１を装着し、店頭に設置されている端末に携帯型テレビジョン受像機１を接続し、端末を介して所定のサーバより地図データをダンロードし、拡張モジュール１１に記録する。
【００６７】
このようにして、拡張モジュール１１が携帯型テレビジョン受像機１に装着されたとき、その携帯型テレビジョン受像機１がナビゲーションシステムとして機能するように、拡張モジュール１１には、地図データが予め記録される。
【００６８】
記憶部１２２に記憶されているＧＰＳ受信データおよび過去の軌跡データ、並びに、クロック１３２の時刻データは、インターフェース１２１を介して、携帯型テレビジョン受像機１に送出される。
【００６９】
次に、図１０を参照して、記録再生部６３の内部の構成を説明する。
【００７０】
チューナ６４は、アンテナ１５１から供給されるテレビジョン放送の放送信号を取得し、所定のチャンネルの画像および音声のアナログ信号をアナログセレクタ１５２に出力する。
【００７１】
アナログセレクタ１５２は、チューナ６４またはＤ／Ａ（Ｄｉｇｉｔａｌ／Ａｎａｌｏｇ）変換回路１５４から供給されたアナログ信号（画像および音声）のいずれかを選択し、Ａ／Ｄ（Ａｎａｌｏｇ／Ｄｉｇｉｔａｌ）変換回路１５３または表示部２に出力する。
【００７２】
Ａ／Ｄ変換回路１５３は、アナログセレクタ１５２から供給された画像および音声のアナログ信号を、デジタルデータに変換し、デジタルセレクタ１５５に出力する。
【００７３】
デジタルセレクタ１５５は、Ａ／Ｄ変換回路１５３、バス、またはＭＰＥＧ（Ｍｏｖｉｎｇ　Ｐｉｃｔｕｒｅ　Ｅｘｐｅｒｔｓ　Ｇｒｏｕｐ）デコーダ１５７から出力された画像および音声のデジタルデータを入力し、いずれかの画像および音声のデジタルデータを選択し、ＭＰＥＧエンコーダ１５６、またはＤ／Ａ変換回路１５４に出力するとともに、バスに出力し、シーンの切り換えの位置の情報をバスに出力する。
【００７４】
ＭＰＥＧエンコーダ１５６は、デジタルセレクタ１５５から供給された画像および音声のデジタルデータを、ＭＰＥＧ方式のデジタルデータに圧縮し、デジタルセレクタ１５５を介して、バスに出力する。また、ＭＰＥＧエンコーダ１５６は、シーンの切り替わりの画像を、静止画像に変換し、バスに出力する。
【００７５】
バスは、デジタルセレクタ１５５から供給された画像および音声のデジタルデータ（圧縮されてない）を、記録再生部６３が装着されている携帯型テレビジョン受像機１のバスを介して、ＣＰＵ５１または表示部２に出力する。さらに、バスは、ＭＰＥＧエンコーダ１５６から供給されたＭＰＥＧ方式の画像または音声のデジタルデータを、記録再生部６３が装着されている携帯型テレビジョン受像機１のバスを介して、ＣＰＵ５１に出力する。
【００７６】
携帯型テレビジョン受像機１のＣＰＵ５１は、バスを介して、圧縮されていない画像または音声のデジタルデータをデジタルセレクタ１５５に出力する。
【００７７】
ＭＰＥＧデコーダ１５７は、デジタルセレクタ１５５から供給されたＭＰＥＧ方式の画像または音声のデジタルデータを伸張して、圧縮されていない画像または音声のデジタルデータとし、デジタルセレクタ１５５に出力する。
【００７８】
ハードディスクドライブ（ＨＤＤ）１５８は、ＭＰＥＧエンコーダ１５６によりエンコードされたデータを、デジタルセレクタ１５５を介して入力し、記録する。記録されたデータは必要に応じて読み出され、デジタルセレクタ１５５を介してＭＰＥＧデコーダ１５７に供給され、デコードされる。
【００７９】
Ｄ／Ａ変換回路１５４は、デジタルセレクタ１５５から供給された画像および音声のデジタルデータを、アナログ信号に変換し、アナログセレクタ１５２に出力する。
【００８０】
なお、ＭＰＥＧエンコーダ１５６またはＭＰＥＧデコーダ１５７に対応する処理は、所定のプログラムにより、ＣＰＵ５１が実行するようにしてもよい。
【００８１】
次に、図１１を参照して、携帯型テレビジョン受像機１のＣＰＵ５１が実行するプログラムを説明する。
【００８２】
録画再生プログラム１７１は、キー３、ジョグダイヤル４、およびタッチパッド制御部５６（以下、これらを総称して、入力部とも称する）が、録画しようとする番組のチャンネル番号、放送開始時刻、および録画時間により、番組の予約録画を受け付けたのに応じて、チューナ６４で受信した、予約録画が指示されたチャンネルの画像および音声の信号を、記録再生部６３において、ＭＰＥＧ方式の画像または音声のデジタルデータに変換させ、ＡＶ（Ａｕｄｉｏ　Ｖｉｓｕａｌ）コンテンツとしてＨＤＤ１５８に記録させる。
【００８３】
また、録画再生プログラム１７１は、ＨＤＤ１５８に記録されている、画像データまたは音声データからなるＡＶコンテンツを、記録再生部６３において、伸張させて、圧縮されていない所定の画像または音声のデジタルデータを生成し、画像を表示部２に表示させ、音声を音声再生部６０に出力させる。
【００８４】
ＡＶコンテンツ管理検索プログラム１７２は、ＨＤＤ１５８に記録されているＡＶコンテンツの内容または録画された日付などの所定の情報を表示する。また、ＡＶコンテンツ管理検索プログラム１７２は、所定のＡＶコンテンツの再生を録画再生プログラム１７１に指示し、編集の対象となるＡＶコンテンツを選択し、その選択されたＡＶコンテンツの情報をＡＶコンテンツ編集プログラム１７３に供給し、予約録画設定プログラム１７４に予約録画の指示を行う。
【００８５】
ＡＶコンテンツ編集プログラム１７３は、ＨＤＤ１５８に記録されているＡＶコンテンツを基に、選択されたＡＶコンテンツの所定の画像および音声を編集し（所定ＡＶコンテンツに含まれている画像および音声をつなぎ合わせる）、編集された画像または音声を再生する所定の形式のＡＶコンテンツを生成する。
【００８６】
予約録画設定プログラム１７４は、設定に基づき、予約録画を実行させるＡＶコンテンツを生成する。このＡＶコンテンツは、設定（録画時間、および画質を決定する録画モード）に対応し、ＨＤＤ１５８の記憶領域を予め確保する。
【００８７】
予約監視プログラム１７５は、携帯型テレビジョン受像機１が動作しているとき（ＯＳが動作しているとき）、常に動作し（いわゆる、常駐している）、予約録画設定プログラム１７４が生成した予約録画を実行させるＡＶコンテンツ、および、クロック１３２から供給される時刻を基に、予約録画を実行する。また、予約監視プログラム１７５は、予約録画を実行させるＡＶコンテンツの設定を変更する。
【００８８】
受信プログラム１７６は、通信部６６から公衆回線１０１およびインターネット１０２を介して、番組情報サーバ１１１から得た番組ＩＤを録画再生プログラム１７１に供給する。
【００８９】
例えば、受信プログラム１７６は、図示せぬ、スリープモードにおいても動作しているエンベッテッドコンピュータからなるＩ／Ｏ（Ｉｎｐｕｔ／Ｏｕｔｐｕｔ）コントローラにより実行されるようにしてもよい。
【００９０】
次に、図１２を参照して、予約録画設定プログラム１７４による、番組の録画予約の処理を説明する。
【００９１】
ステップＳ１１において、ユーザからの入力に基づいて、予約録画設定プログラム１７４は、番組の放送開始時刻と録画時間を取得する。この録画時間は、ユーザが希望する番組を実際に録画する時間を表すが、放送時間（その番組が放送される時間）としてもよい。
【００９２】
ステップＳ１２において、ユーザからの入力に基づいて、予約録画設定プログラム１７４は、番組の放送チャンネルを取得する。
【００９３】
ステップＳ１３において、予約録画設定プログラム１７４は、現在位置情報を取得する。現在位置情報は、携帯型テレビジョン受像機１に装着されている拡張モジュール１１から、モジュールインターフェース（Ｉ／Ｆ）５４を介して取得される。
【００９４】
ステップＳ１４において、予約録画設定プログラム１７４は、番組の放送開始時刻、録画時間、放送チャンネル、および現在位置情報を、予約データベース６２に記憶させる。
【００９５】
ステップＳ１５において、予約録画設定プログラム１７４は、通信部６６から公衆回線１０１、インターネット１０２を介して番組情報サーバ１１１にアクセスし、ステップＳ１１、Ｓ１２、およびＳ１３の処理で取得された放送チャンネル、放送開始時刻、および現在位置情報（必要に応じて、さらに放送時間）を送信し、対応する番組ＩＤの検索を要求する。この要求に基づいて、番組情報サーバ１１１は、図８に示される登録リストを参照して、現在地が含まれる地域における放送チャンネルのチャンネル番号と放送開始時刻に放送されている番組の番組ＩＤを検索する。
【００９６】
例えば、現在地「ａ１」、チャンネル番号「６」、放送開始時刻「２００２年５月１０日０８時５０分００秒」のデータが送信されてきたとき、現在地「ａ１」は地域「Ａ」に含まれるので、地域「Ａ」で放送されている番組の中の、チャンネル「６」で、放送開始時刻が「２００２年５月１０日０８時５０分００秒」の番組の番組ＩＤとして、「０００１」が検索される。
【００９７】
番組情報サーバ１１１は、検索した番組ＩＤを携帯型テレビジョン受像機１に、インターネット１０２、公衆回線１０１を介して送信する。予約録画設定プログラム１７４は、この番組ＩＤを、予約データベース６２に記憶させる（図６）。
【００９８】
以上のようにして、予約データベース６２には、図６に示されるように、ユーザが予約した番組のチャンネル番号、録画時間、放送開始時刻、番組ＩＤ、および現在地（予約地）が登録される。
【００９９】
このように、ユーザは、予約時、表示部２を操作してチャンネル番号、放送開始時刻、および録画時間を入力するが、このときの入力操作について、図１３を参照して、さらに説明する。
【０１００】
ユーザより、予約が指令されたとき、予約録画設定プログラム１７４は、表示部２に図１３に示されるような予約画面を表示させる。この予約画面には、録画予約されるチャンネル、放送開始時刻、番組内容などが表示される。
【０１０１】
図１３の例では、録画予約されるチャンネルが「６」、そして放送開始時刻が「２００２年５月１０日０８時５０分００秒」とされている。この例では、さらに、番組のタイトルが「朝のニュース」であることが表示されている。このタイトルは、番組ＩＤとともに番組情報サーバ１１１から送信されてきたものである。
【０１０２】
録画予約ウィンドウ２１１がユーザにより選択され、アクティブであるとき、チャンネル選択ボタン２１７と、決定ボタン２１２は、アクティブとなり、操作が可能になる。チャンネル選択ボタン２１７は、録画予約する番組のチャンネルを選択するとき操作されるボタンである。決定ボタン２１２がクリックされたとき、入力された予約情報が確定される。
【０１０３】
一方、録画予約ウィンドウ２１１が選択され、アクティブであるとき、停止ボタン２１３、再生ボタン２１４および一時停止ボタン２１５は、非アクティブとなり、録画再生プログラム１７１は、再生ボタン２１４または一時停止ボタン２１５がクリックされても、動作しない。
【０１０４】
番組選択ボタン２１７は、後に図１８で説明するが、録画された番組を再生するとき、再生する番組を選択するためのボタンである。
【０１０５】
次に、図１４を参照して、録画再生プログラム１７１による、番組の録画の処理を説明する。なお、この処理は、例えば、５分毎、１０分毎といった、予め定められた時間毎に、定期的に行われる。
【０１０６】
ステップＳ２１において、録画再生プログラム１７１は、予約データベース６２（図６）に、録画を予約されている番組があるか否かを判定し、録画を予約されている番組がない場合、録画処理を終了する。
【０１０７】
ステップＳ２１において、録画を予約されている番組があると判定された場合、ステップＳ２２に進み、録画再生プログラム１７１は、予約データベース６２のリストから、録画を予約されている番組を１つ選択する。
【０１０８】
ステップＳ２３において、録画再生プログラム１７１は、予約データベース６２に記録されている選択された番組の放送開始時刻を読み出す。
【０１０９】
ステップＳ２４において、録画再生プログラム１７１は、拡張モジュール１１のクロック１３２から現在時刻を取得する。
【０１１０】
ステップＳ２５において、録画再生プログラム１７１は、ステップＳ２４で取得された現在時刻と、ステップＳ２３の処理で読み出された放送開始時刻との差が所定時間以下か否かを判定し、差が所定時間以下と判定された場合、ステップＳ２６において、録画再生プログラム１７１は、チューナ６４を制御し、指定されているチャンネルの番組を受信させ、記録再生部６３のＨＤＤ１５８に録画させる。このとき、番組がエンコードされていないときは、ＭＰＥＧエンコーダ１５６によりエンコードされた後記録され、エンコードされているときは、そのまま記録される。
【０１１１】
この所定時間は、あらかじめ設定してＦｌａｓｈ　ＲＯＭ５２に予め記憶されている。例えば、所定時間を３０秒に設定した場合について考える。ステップＳ２２において、図６における、番組ＩＤ「０００１」が選択されたとすると、放送開始時刻は「２００２年５月１０日０８時５０分００秒」であるから、現在時刻が「２００２年５月１０日０８時４９分３０秒」を過ぎると、ステップＳ２５において差が所定時間以下と判断され、ステップＳ２６において、記録再生部６３に番組が録画される。勿論、この時間は、例えば、１０秒、１５秒、２０秒とすることもできる。
【０１１２】
次に、ステップＳ２７において、録画再生プログラム１７１は、記録再生部６３に録画された番組を予約データベース６２に記録された予約リストから消去する（録画済みのフラグをオンにする）。
【０１１３】
ステップＳ２５において、差が所定時間より長いと判定された場合、または、ステップＳ２７の処理が完了した後、ステップＳ２８において、録画再生プログラム１７１は、予約データベース６２に予約されている全ての番組を選択したか否かを判定し、まだ選択していない番組が残っている場合、ステップＳ２２に戻り、それ以降の処理を繰り返す。ステップＳ２８で、全ての番組が選択されたと判定された場合、処理は終了される。
【０１１４】
次に、図１５を参照して、予約録画設定プログラム１７４による、番組の録画予約を更新する処理を説明する。
【０１１５】
この番組の録画予約を更新する処理も、予め設定された所定の時間毎（例えば、３０分毎）に周期的に行われる。設定時間もＦｌａｓｈ　ＲＯＭ５２に記憶されており、必要に応じて任意の時間に設定を変更することが可能である。
【０１１６】
ステップＳ４１において、予約録画設定プログラム１７４は、予約データベース６２（図６）に、録画を予約されている番組があるか否かを判定し、録画を予約されている番組がないと判定された場合、録画予約を更新する処理を終了する。
【０１１７】
ステップＳ４１において、録画を予約されている番組があると判定された場合、ステップＳ４２に進み、予約録画設定プログラム１７４は、現在位置情報を取得する。現在位置情報は、携帯型テレビジョン受像機１に装着されている拡張モジュール１１から、モジュールインターフェース（Ｉ／Ｆ）５４を介して取得される。
【０１１８】
ステップＳ４３において、予約録画設定プログラム１７４は、予約データベース６２に録画を予約されている番組を１つ選択する。
【０１１９】
ステップＳ４４において、予約録画設定プログラム１７４は、番組の録画が予約された位置を読み出す。
【０１２０】
具体的には、図１２のステップＳ１３において、拡張モジュール１１から取得され、予約データベース６２に記憶された位置情報（図６の現在地）が予約位置として読み出される。
【０１２１】
ステップＳ４５において、予約録画設定プログラム１７４は、現在位置が、予約位置と同一の放送塔の範囲内か否かを判定する。
【０１２２】
ステップＳ４５において、現在位置が、録画が予約された位置と同一の放送塔の範囲内であると判定された場合、例えば、現在位置が放送塔Ｔ１の放送範囲Ｒ１内であり、かつ、予約位置ａ１も放送範囲Ｒ１内である場合（ユーザが、予約位置からあまり遠い位置に移動していない場合）ステップＳ５４に進み、予約録画設定プログラム１７４は、全ての番組を選択したか否かを判定する。まだ、全ての番組が選択されていない場合、処理はステップＳ４３に戻り、次の１つの番組が選択され、同様の処理が実行される。
【０１２３】
ステップＳ４５において、現在位置は、予約位置と同一の放送塔の範囲内ではないと判定された場合、例えば、ユーザが、予約位置から相当離れた位置に移動している場合、ステップＳ４６において、予約録画設定プログラム１７４は、通信部６６から公衆回線１０１、インターネット１０２を介して番組情報サーバ１１１にアクセスし、現在位置と番組ＩＤを送信し、現在位置において、いま選択されている番組が放送される予定があるか否かの検索を要求する。番組情報サーバ１１１は、この要求に基づいて、図８の登録リストから検索を実行し、検索結果を携帯型テレビジョン受像機１に送信する。
【０１２４】
ステップＳ４７において、予約録画設定プログラム１７４は、番組情報サーバ１１１から受信した検索結果に基づいて、現在位置において、番組が放送される予定があるか否かを判定する。
【０１２５】
ステップＳ４７において、現在位置において、番組が放送される予定があると判定された場合、ステップＳ４８に進み、番組情報サーバ１１１の検索結果から、その番組の現在位置における放送開始時刻と放送チャンネルを読み出す。
【０１２６】
ステップＳ４９において、予約録画設定プログラム１７４は、ステップＳ４８の処理で読み出した情報に基づいて、現在位置の放送開始時刻または放送チャンネルが、予約時の放送開始時刻または放送チャンネルと異なっているか否かを判定する。
【０１２７】
ステップＳ４９において、現在位置の放送開始時刻または放送チャンネルが、予約時のそれと異なっていると判定された場合、ステップＳ５０に進み、予約録画設定プログラム１７４は、予約データベース６２の予約情報を更新させる。
【０１２８】
例えば、携帯型テレビジョン受像機１が地域「Ａ」の位置ａ１にいるときに、番組ＩＤ「０００１」の番組を録画予約し、その後、地域「Ｂ」に移動した場合について説明する。図８に示されるように、地域「Ａ」では番組ＩＤ「０００１」の番組が放送されるチャンネル番号および放送開始時刻は、「６」および「２００２年５月１０日０８時５０分００秒」であるが、地域「Ｂ」では番組ＩＤ「０００１」の番組が放送されるチャンネル番号および放送開始時刻は、「７」および「２００２年５月１０日１３時５０分００秒」である。したがって、この場合、ＣＰＵ５１は、それまで図６に示されるように、予約データベース６２に記憶されていた番組ＩＤ「０００１」の予約情報としての番組のチャンネル番号、放送開始時刻、および現在地を、図１６に示されるように、「７」、「２００２年５月１０日１３時５０分００秒」および「ｂ１」に、それぞれ更新する。なお、ここでの現在地「ｂ１」とは、地域「Ｂ」に含まれる位置を表す。
【０１２９】
ステップＳ４９において、現在位置の放送開始時刻または放送チャンネルが、予約時と異なっていないと判定された場合（更新処理が必要ない場合）、または、ステップＳ５０の更新処理が完了した場合、ステップＳ５１において、予約録画設定プログラム１７４は、選択された番組が代替録画を要求した番組（後述するステップＳ５５、Ｓ５６の処理を行った番組）か否かを判定する。
【０１３０】
ステップＳ５１において、選択された番組が代替録画を要求した番組であると判定された場合、ステップＳ５２において、予約録画設定プログラム１７４は、ステップＳ５５の処理で要求した他の装置に対する代替録画を、その必要がなくなったので（携帯型テレビジョン受像機１が自分自身で録画できる位置に戻ってきたので）、キャンセルする。
【０１３１】
ステップＳ５３において、予約録画設定プログラム１７４は、予約データベース６２に記録されている予約リストの代替録画情報（フラグ）を消去する。ステップＳ５１で、選択されている番組が、代替録画を要求した番組ではないと判定された場合、ステップＳ５２、Ｓ５３の処理は、必要がないのでスキップされる。
【０１３２】
次に、ステップＳ５４において、予約録画設定プログラム１７４は、全ての番組を選択したか否か判定する。ステップＳ５４において、全ての番組がまだ選択されていないと判定された場合、ステップＳ４３に戻り、それ以降の処理が繰り返される。
【０１３３】
ステップＳ４７において、現在位置において、番組が放送される予定がないと判定された場合、ステップＳ５５に進み、予約録画設定プログラム１７４は、ユーザにより指定された他の装置（図４の例の場合、ＶＴＲ１１２）に代替録画を要求する。すなわち、この場合、ユーザが、予約した番組が放送されていない地域に移動してきたので、放送が行われる地域の他の装置により予約録画が行われる。
【０１３４】
ステップＳ５６において、予約録画設定プログラム１７４は、予約データベース６２の予約リストに代替録画情報（フラグ）を記録させる。この代替録画情報は、上述したように、ステップＳ５１の処理で、代替録画を要求した番組であるのか否かの判定に用いられる。
【０１３５】
以上の処理が繰り返され、ステップＳ５４で、全ての番組を選択したと判定された場合、処理は終了される。
【０１３６】
次に、図１７を参照して、録画された番組を再生する処理について説明する。この処理は、ユーザより再生が指令されたとき開始される。
【０１３７】
ステップＳ７１において、録画再生プログラム１７１は、表示部２に再生メニューを表示させる。
【０１３８】
ステップＳ７２において、録画再生プログラム１７１は、ユーザからの入力に基づいて、再生する番組を指定する。
【０１３９】
ステップＳ７３において、録画再生プログラム１７１は、指定された番組をＨＤＤ１５８から読み出させ、ＭＰＥＧデコーダ１５７によりデコードさせ、表示部２から出力させる。
【０１４０】
図１８は、ステップＳ７１において、録画再生プログラム１７１が、表示部２に表示させる再生メニュー画面の例を表している。
【０１４１】
この例では、チャンネル選択ボタン２１７がクリックされる毎に、録画再生プログラム１７１は、再生対象とする番組を１つずつ、順次変更表示させる。
【０１４２】
この例では、録画チャンネルが「６」で、録画時間が「９分」で、番組タイトルが「朝のニュース」である番組が、再生対象の番組として表示されている。
【０１４３】
そして、決定ボタン２１２がクリックされたとき、再生される番組が決定される。
【０１４４】
録画再生プログラム１７１は、再生ボタン２１４がクリックされたとき、再生を開始し、一時停止ボタン２１５がクリックされたとき、再生を一時停止し、停止ボタン２１３がクリックされたとき、再生を停止する。
【０１４５】
以上においては、本発明を携帯型テレビジョン受像機１に適用した例について説明したが、本発明はこれに限らず、例えば、携帯電話機、ＰＨＳ（Ｐｅｒｓｏｎａｌ　Ｈａｎｄｙｐｈｏｎｅ　Ｓｙｓｔｅｍ）、ＰＤＡ（Ｐｅｒｓｏｎａｌ　Ｄｉｇｉｔａｌ　Ａｓｓｉｓｔａｎｔ）またはノート型のパーソナルコンピュータなどの端末装置など、位置検出機能を有する装置全般に広く適用することができる。
【０１４６】
また、ＧＰＳ機能により、位置検出機能を実現するようにしたが、ＰＨＳや携帯電話機の位置検出機能を利用することができることは言うまでもない。
【０１４７】
上述した一連の処理は、ハードウェアにより実行させることもできるが、ソトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１４８】
コンピュータにインストールされ、コンピュータによって実行可能な状態とされるプログラムを記録する記録媒体は、図４に示すように、磁気ディスク９１（フレキシブルディスクを含む）、光ディスク９２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク９３（ＭＤ（Ｍｉｎｉ−Ｄｉｓｃ）（登録商標）を含む）、もしくは拡張モジュール１１に代えて装着されるメモリカードなどよりなるパッケージメディア、または、プログラムが一時的もしくは永続的に記録されるＦｌａｓｈ　ＲＯＭ５２や、ハードディスクなどにより構成される。記録媒体へのプログラムの記録は、必要に応じてモデムなどのインターフェースを介して、公衆回線網、ローカルエリアネットワーク、インターネット、デジタル衛星放送といった、有線または無線の通信媒体を利用して行われる。
【０１４９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１５０】
また、本明細書において、システムとは、複数の装置により構成される装置全体を表すものである。
【０１５１】
【発明の効果】
本発明によれば、番組を予約録画することができる。特に、任意の位置に移動した場合でも、予約された番組を確実に録画することができる。
【図面の簡単な説明】
【図１】本発明を適用した携帯型テレビジョン受像機の構成例を示す正面図である。
【図２】図１の拡張モジュールの全体の構成例を示す斜視図である。
【図３】図２の装着部の表面と裏面の構成例を示す図である。
【図４】図１の携帯型テレビジョン受像機の電気的構成例を示すブロック図である。
【図５】番組が放送される地域と番組ＩＤとの対応を示す図である。
【図６】予約データベースに記録された予約情報の例を示す図である。
【図７】放送塔と放送範囲との対応の例を示す図である。
【図８】図４の番組情報サーバが有する情報の例を示す図である。
【図９】図１の拡張モジュールの内部の構成例を示すブロック図である。
【図１０】図４の記録再生部の構成例を示すブロック図である。
【図１１】携帯型テレビジョン受像機が実行するプログラムを説明する図である。
【図１２】番組の録画予約処理を説明するフローチャートである。
【図１３】録画予約時の画面の例を示す図である。
【図１４】予約された番組の録画処理を説明するフローチャートである。
【図１５】番組の予約更新処理を説明するフローチャートである。
【図１６】予約データベースの更新された予約情報の例を示す図である。
【図１７】番組の再生処理を説明するフローチャートである。
【図１８】番組の再生時の画面の例を示す図である。
【符号の説明】
１　携帯型テレビジョン受像機，　１１　拡張モジュール，　５１　ＣＰＵ，６１　放送塔データベース，　６２　予約データベース，　６３　記録再生部，　６６　通信部，１１２　ＶＴＲ
【図１】
2004023111.tif 000003
【図２】
2004023111.tif 000004
【図３】
2004023111.tif 000005
【図４】
2004023111.tif 000006
【図５】
2004023111.tif 000007
【図６】
2004023111.tif 000008
【図７】
2004023111.tif 000009
【図８】
2004023111.tif 000010
【図９】
2004023111.tif 000011
【図１０】
2004023111.tif 000012
【図１１】
2004023111.tif 000013
【図１２】
2004023111.tif 000014
【図１３】
2004023111.tif 000015
【図１４】
2004023111.tif 000016
【図１５】
2004023111.tif 000017
【図１６】
2004023111.tif 000018
【図１７】
2004023111.tif 000019
【図１８】
2004023111.tif 000020